(57)【要約】【課題】連続する２つのＯＦＤＭシンボル間に生ずる実質的な不連続性を、無視できる程度に低減したデジタル放送受信機における復調装置を提供する。【解決手段】有効シンボル区間内のサンプリングデータを含む前後複数のサンプリングデータからスプライン関数を求め、有効シンボル区間の開始時点から該有効シンボル区間における最初のサンプリングデータのサンプリング時点までの期間と直前の有効シンボル区間の開始時点から該直前の有効シンボル区間における最初のサンプリングデータのサンプリング時点までの期間との差を補間値とし、前記有効シンボル区間のサンプリングデータのサンプリング時点を前記補間値に基づき補正して補間位置とし、スプライン関数に基づき前記補間位置におけるスプライン補間データを補間回路４で求めて前記有効シンボル区間内のサンプリングデータに代わってＦＦＴ回路５へ送出させる。【選択図】        図１
2004153559.tif 000002
【特許請求の範囲】
【請求項１】
１ＯＦＤＭシンボル期間が有効シンボル区間とガードインターバル区間とからなるＯＦＤＭ変調された信号を受信するデジタル放送受信機における復調装置において、
有効シンボル区間内のサンプリングデータを含み該サンプリングデータの前後複数のサンプリングデータに基づいてスプライン関数を求め、
前記有効シンボル区間の開始時点から該有効シンボル区間における最初のサンプリングデータのサンプリング時点までの期間と前記有効シンボル区間に対する直前の有効シンボル区間の開始時点から該直前の有効シンボル区間における最初のサンプリングデータのサンプリング時点までの期間との差を補間値として求め、
前記有効シンボル区間のサンプリングデータのサンプリング時点を前記補間値に基づき補正して補間位置とし、前記スプライン関数に基づき該補間位置におけるスプライン補間データを求め、
求めたスプライン補間データを前記有効シンボル区間内のサンプリングデータに代わって高速フーリエ変換回路へ送出することを特徴とするデジタル放送受信機における復調装置。
【発明の詳細な説明】
【０００１】
【発明の属する技術分野】
本発明は直交周波数分割多重方式により変調（ＯＦＤＭ変調）された放送信号を受信するデジタル放送受信機における復調装置に関する。
【０００２】
【従来の技術】
ＯＦＤＭ変調された放送信号の１ＯＦＤＭ伝送シンボル期間は、有効シンボル区間とガードインターバルと呼ばれる区間とからなる。有効シンボル区間はデータ伝送のために必要な信号期間である。ガードインターバル区間はマルチパスなどのシンボル間干渉を防ぐためのものであり、有効シンボル区間の最後の所定期間長部分を有効シンボル区間の先頭に巡回的に複写されたものである（後記の図１１（ａ）における矢印参照）。
【０００３】
デジタル地上波テレビジョン放送信号など、ＯＦＤＭ変調された放送信号を受信するデジタル放送受信機における復調装置が知られている。
【０００４】
かかるデジタル放送受信機において、従来、ガードインターバル期間を越える遅延時間の遅延波が存在するときでも、シンボル間干渉の影響を軽減させるために、伝送路特性ユニットとスキャッタードパイロット抽出復調ユニットとによって伝送路におけるマルチパスの伝達関数を推定し、等化器となるＦＩＲフィルタ回路を動作させて、マルチパスをキャンセルさせながら、受信復調ユニットの複素除算回路、信号復調回路によって、受信した信号を復調するようにしている（たとえば特許文献参照）。
【０００５】
【特許文献】
特開２００１−２９２１２０号公報（第３−第７頁、図１−２）。
【０００６】
特許文献では見いだせないが、従来のデジタル放送受信機におけるＯＦＤＭ復調装置３０は、図８に示す如く構成される。
【０００７】
図８に示したデジタル放送受信機では、受信信号は図示しないチューナに入力され、増幅、周波数変換、さらに帯域制限などが行われて中間周波数に変換される。チューナから出力される中間周波数信号はＯＦＤＭ復調装置３０に供給される。ＯＦＤＭ復調装置３０では、中間周波信号はＡ／Ｄ変換器１に供給されてデジタル信号に変換され、変換されたデジタル信号は直交検波器２によって直交検波されて、ベースバンド（Ｉ、Ｑ）信号に変換される。
【０００８】
直交検波器２から出力されるベースバンド（Ｉ、Ｑ）信号は有効シンボル抽出回路３に供給されて、有効シンボル区間におけるサンプリングデータと有効シンボル区間における最初のサンプリングデータの前および有効シンボル区間における最後のサンプリングデータの後の予め定めた数のサンプリングデータを含む所定範囲のサンプリングデータが一旦メモリに格納されて、有効シンボル抽出回路３において有効シンボルが取り込まれる。一方、タイミング検出回路１１Ａから出力されるタイミング検出信号に基づき、有効シンボル抽出回路３において有効シンボルを含み有効シンボルより時間的に１つ先のサンプリングデータから取り込むか、または１つ時間的に後のサンプリングデータまでが取り込まれる。
【０００９】
有効シンボル抽出回路３にて取り込まれたサンプリングデータは高速フーリエ変換（ＦＦＴ）回路５に供給され、ＦＦＴ回路５にてＦＦＴ処理が行われてＯＦＤＭ変調信号の復調が行われ、キャリア毎の情報に分離され、等化器６に供給されて、各キャリアの振幅と位相を補正するために挿入されている振幅および位相が既知のキャリアであるスキャッタードパイロット（ＳＰとも記す）から伝送路特性が推定され、それに基づいて歪みの補正がなされ、デマッパ回路にてデマッピングすることによって復調データとして送出される。
【００１０】
一方、ＦＦＴ回路５の出力はＳＰ抽出回路７およびＴＭＣＣデコーダ９にも供給されて、ＳＰ抽出回路７てＳＰ信号が抽出され、抽出されたＳＰ信号はＩＦＦＴ回路８に供給されて逆ＦＦＴ演算処理が行われて遅延プロファイル信号が求められ、ＴＭＣＣデコーダ９にてＳＰ信号が含まれているか否かが識別される。
【００１１】
また、直交検波器２から出力されるベースバンド（Ｉ、Ｑ）信号はガード相関器１０に供給され、ガード相関器１０の入力ベースバンド（Ｉ、Ｑ）信号と該ベースバンド（Ｉ、Ｑ）信号を有効シンボル区間の時間幅遅延させた遅延ベースバンド（Ｉ、Ｑ）信号との積をガードインターバル期間の時間幅にわたって積分し、該積分をＡ／Ｄ変換器１におけるＡ／Ｄ変換のためのサンプリング周期ずつ順次ずらせて行うことによって、積分値からガード相関出力が求められる。
【００１２】
ガード相関器１０にて求めたガード相関出力とＩＦＦＴ回路８で求めた遅延プロファイル信号とＴＭＣＣデコーダ７にて求めたＳＰ信号の存否識別信号とは、タイミング検出回路１１Ａに供給される。
【００１３】
ＴＭＣＣデコーダ９においてＳＰ信号が存在していないと識別されたときはガード相関出力のピーク位置から、ＳＰ信号が存在していると識別されたときは遅延プロファイル信号および／またはガード相関出力から、タイミング検出回路１１ＡにてＯＦＤＭシンボルの有効シンボル区間の先頭位置を示すタイミング信号が検出され、有効シンボル抽出回路３において、取り込む有効シンボルを時間的に１つ先のサンプリングデータから有効シンボルに含まれるサンプリングデータとして取り込むか、または１つ時間的に後のサンプリングデータまでを有効シンボル区間に含まれるサンプリングデータとして取り込まれる。
【００１４】
これをさらに説明する。ＯＦＤＭ復調装置３０のサンプリングクロックと送信側のサンプリングクロックは完全に同期しないため、ＯＦＤＭ復調装置３０において同期を取る必要がある。ＯＦＤＭ復調装置３０の動作クロックと送信側のサンプリングクロックは完全に一致しないということは、クロック周波数がずれてくるということを意味し、ＯＦＤＭ変調装置におけるＡ／Ｄ変換器のサンプリングクロックとＯＦＤＭ復調装置３０におけるＡ／Ｄ変換器１のサンプリングクロックとがずれるということである。このずれの結果、徐々にサンプリングタイミングがずれていき、受信信号を正しく受信することができない。
【００１５】
これを具体的に図９によって例示する。図９（ａ）の丸印はサンプリングされたＯＦＤＭ変調装置デジタル部の出力を模式的に示している。図９（ｂ）は図９（ａ）の変調装置デジタル出力に対応する変調波ベースバンド信号（アナログ信号）の波形を模式的に示している。図９（ｃ）において丸印はＯＦＤＭ復調装置３０のデジタル部への入力を示し、図９（ｃ）に示したサンプリングタイミングと図９（ａ）に示したサンプリングタイミングとの間にずれが生じている。図９において、破線はサンプリングタイミングを示している。図９（ｃ）において丸印で示す受信波形が図９（ａ）において丸印で示す送信波形とずれてきている。
【００１６】
ここで、サンプリングタイミングが一致しているときは、図１０（ａ）に示すように、ＯＦＤＭ伝送シンボル期間から正常に有効シンボル区間におけるサンプリングデータが抽出される。しかし、たとえば、ガード相関のピーク位置を基準にしてサンプリングタイミングが徐々にずれていき、隣のサンプル位置を超えてしまうと、同じ期間内に得られるＯＦＤＭ変調装置の出力のサンプル数とＯＦＤＭ復調装置３０における入力のサンプル数が一致しないことになる。
【００１７】
そこで、サンプリングタイミングが一致している図１０（ａ）の場合に対して、例えばサンプル数が１つ増加した図１０（ｂ）およびサンプル数が１つ不足した図１０（ｃ）の場合に示すように、有効シンボル区間からサンプリングデータを取り出す際に取り出すサンプリングデータを左右にずらして行うタイミング補正をしなければ、正しく受信をすることができない。図１０（ａ）〜図１０（ｃ）においてＧＩはガードインターバル期間を示し、斜線はずらした１サンプリング部分を示している。
【００１８】
しかるに、ＯＦＤＭ復調装置のクロック自体を変調装置のクロック周波数にぴったりと合わせて同期させることができないため、従来は各ＯＦＤＭシンボル毎にクロックのずれをサンプリングクロック単位で検出し、ＯＦＤＭシンボル毎に有効シンボルを抽出する位置を１サンプリングクロック単位でずらして、タイミングを補正していた。さらに詳細には、サンプリングクロックのずれ（ＯＦＤＭシンボルの開始位置のずれ）をガード相関出力のピーク位置、または遅延プロファイルから検出し、タイミング検出回路１１Ａからの出力に基づいて有効シンボル抽出回路３において抽出する最初のサンプリングデータを決めている。
【００１９】
また、ガード相関出力のピーク位置は、受信信号と受信信号を有効シンボル時間分送らせた遅延信号との相関を取った結果が一番大きいサンプルの位置である。ガードインターバル期間は有効シンボルの最後の１／４、１／８、１／１６または１／３２期間の有効シンボルを、有効シンボルの前に付けたものであり、受信信号とその遅延信号との相関を取った結果のピーク位置がＯＦＤＭシンボルの先頭であるといえて、これによりＯＦＤＭシンボルの開始位置を推定することができる。この様子をガードインターバルの期間が有効シンボル区間の１／４の場合を、図１１に例示する。
【００２０】
図１１（ａ）は受信信号を示し、図１１（ｂ）は受信信号を有効シンボル区間遅延させた遅延信号を示し、受信信号中における有効シンボル区間における最後の１／４の部分の有効シンボルと、遅延信号のガードインターバル期間のシンボルとは全く同じ筈であり、図１１（ｃ）示す相関結果のピークからＯＦＤＭシンボルの開始位置が推定できることを模式的に示している。
【００２１】
また、遅延プロファイル信号は、ＯＦＤＭ復調信号中のＳＰ信号から計算されるもので、遅延プロファイル信号から″主信号″と伝送路上で反射などにより発生する主信号の″遅延信号″の大きさと″遅延時間″とが推定される。抽出位置が合っている場合を示す図１２と、抽出位置がずれているいる場合を示す図１３とに模式的に示すように、この主信号の位置から有効シンボルの先頭を推定することができる。図１２（ａ）および図１３（ａ）はＯＦＤＭ変調信号を示し、矢印は有効シンボル区間の最後１／４のＯＦＤＭシンボルをガードインターバル区間として用いることを示す。
【００２２】
図１２（ｂ）は抽出された１ＯＦＤＭシンボルを示し、図１２（ｃ）は抽出された有効シンボルを示し、図１２（ｄ）は遅延プロファイル信号を示している。抽出位置がずれているいる場合において、図１３（ｂ）は図１３（ａ）に示したＯＦＤＭ変調信号に対して抽出された１ＯＦＤＭシンボル分を示し、図１３（ｃ）は抽出された有効シンボルを示し、図１３（ｄ）は遅延プロファイル信号を示している。
【００２３】
図１３（ｂ）と図１３（ｄ）にまたがる矢印は、図１３（ｂ）のガードインターバル期間の前に位置する横方向の矢印で示す先頭部分が図１３（ｄ）の先頭部分に対応していることを示している。ただ、ＳＰ信号が含まれないときには、遅延プロファイルを計算することはできない。このためガード相関出力と併用している。
【００２４】
【発明が解決しようとする課題】
しかし、上記したように１サンプリングクロック間隔単位でタイミングを補正すると、前のＯＦＤＭシンボルと続く次のＯＦＤＭシンボルとの実質的な連続性が保たれず、等化エラーを起こすため、等化器で補正する必要があるという問題点が生ずる。
【００２５】
本発明は、連続する２つのＯＦＤＭシンボル間に生ずる実質的な不連続性を、無視できる程度に低減したデジタル放送受信機における復調装置を提供することを目的とする。
【００２６】
【課題を解決するための手段】
本発明のデジタル放送受信機における復調装置は、１ＯＦＤＭシンボル期間が有効シンボル区間とガードインターバル区間とからなるＯＦＤＭ変調された信号を受信するデジタル放送受信機における復調装置において、
有効シンボル区間内のサンプリングデータを含み該サンプリングデータの前後複数のサンプリングデータに基づいてスプライン関数を求め、
前記有効シンボル区間の開始時点から該有効シンボル区間における最初のサンプリングデータのサンプリング時点までの期間と前記有効シンボル区間に対する直前の有効シンボル区間の開始時点から該直前の有効シンボル区間における最初のサンプリングデータのサンプリング時点までの期間との差を補間値として求め、
前記有効シンボル区間のサンプリングデータのサンプリング時点を前記補間値に基づき補正して補間位置とし、前記スプライン関数に基づき該補間位置におけるスプライン補間データを求め、
求めたスプライン補間データを前記有効シンボル区間内のサンプリングデータに代わって高速フーリエ変換回路へ送出することを特徴とする。
【００２７】
本発明のデジタル放送受信機における復調装置によれば、有効シンボル区間内のサンプリングデータを含み該サンプリングデータの前後複数のサンプリングデータに基づいてスプライン関数が求められ、前記有効シンボル区間の開始時点から該有効シンボル区間における最初のサンプリングデータのサンプリング時点までの期間と前記有効シンボル区間に対する直前の有効シンボル区間の開始時点から該直前の有効シンボル区間における最初のサンプリングデータのサンプリング時点までの期間との差が補間値として求められ、前記有効シンボル区間のサンプリングデータのサンプリング時点を前記補間値に基づいて補正して補間位置とされ、前記スプライン関数に基づき該補間位置におけるスプライン補間データが求められて、求められたスプライン補間データが前記有効シンボル区間内のサンプリングデータに代わってフーリエ変換回路へ送出される。したがって、連続する２つの有効シンボル区間における対応するサンプリングデータ間に生ずる不連続性を、無視できる程度に低減することができる。
【００２８】
【発明の実施の形態】
以下、本発明にかかるデジタル放送受信機における復調装置を実施の一形態によって説明する。
【００２９】
図１は本発明の実施の一形態にかかるデジタル放送受信機における復調装置の構成を示すブロック図であり、図９にて示したＯＦＤＭ復調装置３０と同一構成要素には同一の符号を付して示してある。
【００３０】
受信信号はチューナに入力され、増幅、周波数変換、さらに帯域制限などが行われて中間周波数に変換される。チューナから出力される中間周波数信号は図１に示すＯＦＤＭ復調装置２０に供給される。ＯＦＤＭ復調装置２０では、中間周波信号はＡ／Ｄ変換器１に供給されてデジタル信号に変換され、変換されたデジタル信号は直交検波器２によって直交検波されて、ベースバンド（Ｉ、Ｑ）信号に変換される。
【００３１】
直交検波器２から出力されるベースバンド（Ｉ、Ｑ）信号は有効シンボル抽出回路３に供給され、有効シンボル区間におけるサンプリングデータと有効シンボル区間における最初のサンプリングデータの前および有効シンボル区間における最後のサンプリングデータの後の予め定めた数のサンプリングデータを含む所定範囲のサンプリングデータが一旦メモリに格納されることによって、有効シンボル抽出回路３において有効シンボル区間におけるサンプリングデータと有効シンボル区間の前および後における複数、たとえば２つのサンプリングデータが抽出されて取り込まれる。
【００３２】
一方、タイミング検出回路１１は、入力されたガード相関出力と遅延プロファイル信号とＳＰ信号の存否信号とに基づき、図２（ａ）に模式的に示す有効シンボル区間における直前の有効シンボル区間における最初のサンプリングデータ図２（ｂ）参照）のサンプリングクロックと続く図２（ｃ）に示す有効シンボル区間における最初のサンプリングデータのサンプリングクロックとのずれ（補正値）の大きさと方向を検出し、該ずれの大きさと方向の信号は補間位置、抽出位置制御回路１２へ送出される。図２において○はサンプリングのタイミングを示しており、補正値は有効シンボル区間において一定としている。
【００３３】
補間位置、抽出位置制御回路１２では、タイミング検出回路１１からの出力信号に基づき、有効シンボル抽出回路３において有効シンボル区間におけるサンプリングデータと有効シンボル区間における最初のサンプリングデータの前および有効シンボル区間における最後のサンプリングデータの後の所定範囲における複数のサンプリングデータが抽出される。有効シンボル抽出回路３において抽出されたサンプリングデータは補間回路４に供給される。
【００３４】
補間回路４においては後記の図３および図４に示すように、入力されてきた有効シンボル区間のサンプリングデータを含む所定範囲のサンプリングデータを用いて、連続する４つのサンプリングデータに基づいてスプライン関数を求めると共に、隣り合うサンプリングデータの時間間隔を複数に分割、たとえば２０４８に分割し、この分割された各時間位置におけるスプライン補間データを求めるための補間係数データを、前記求めたスプライン関数から演算し、演算した補間係数データを、各時間位置をアドレスとするメモリに格納して、補間位置、抽出位置制御回路１２から出力される補間位置制御信号に基づくアドレス位置に格納されている補間係数データを読み出して、読み出された補間係数データに基づいてスプライン補間されたスプライン補間データを演算し、演算されたスプライン補間データが有効シンボルデータとしてＦＦＴ回路５に送出される。
【００３５】
補間フィルタ４にて補間されたスプライン補間データを受けたＦＦＴ回路５にてＦＦＴ処理が行われてＯＦＤＭ変調信号の復調が行われ、キャリア毎の情報に分離され、等化器６に供給されて、各キャリアの振幅と位相を補正するために挿入されている振幅および位相が既知のキャリアであるＳＰ信号から伝送路特性が推定され、それに基づいて歪みの補正がなされて、デマッパ回路に供給してデマッピングすることによって復調データとして送出される。
【００３６】
一方、ＦＦＴ回路５の出力はＳＰ抽出回路７およびＴＭＣＣデコーダ９にも供給されて、ＳＰ抽出回路７てＳＰ信号が抽出され、抽出されたＳＰ信号はＩＦＦＴ回路８に供給されて逆ＦＦＴ演算処理が行われて遅延プロファイル信号が求められる。一方、ＴＭＣＣデコーダ９にてＳＰ信号の存否情報が検出される。また、直交検波器２から出力されるベースバンド（Ｉ、Ｑ）信号はガード相関器１０に供給され、ガード相関出力が、ガード相関器１０によって求められる。
【００３７】
ガード相関器１０にて求めたガード相関出力とＩＦＦＴ回路８で求めた遅延プロファイル信号とＴＭＣＣデコーダ７にて識別されたＳＰ信号存否情報とに基づいて、ガード相関出力および／または遅延プロファイルによって有効シンボル区間における最初のサンプリングデータのサンプリングクロックと直前の有効シンボル区間における最初のサンプリングデータのサンプリングクロックとのずれの大きさと方向が検出されることは前記の通りである。
【００３８】
ここで、図３および図４によって、サンプリングデータβの場合を例に、補間回路４の補間作用について説明する。
【００３９】
補間回路４において、図３に示すように、サンプリングデータβを含む連続する４つのサンプリングデータα、β、γ、δを元に３次スプライン関数を求める。入力されてきた補間位置を示す補間位置制御信号に基づいて、サンプリングデータβに対する補間位置が定まり、補間位置におけるサンプリングデータがスプライン関数により補間して求める。
【００４０】
この場合、隣り合うサンプリングデータ間の時間間隔が２０４８に分割されており、分割された時間の一つが補間位置制御信号に基づいて定められる。これを簡略化して図３（ｂ）に示すように、６分割されていて、各時点をｔ１、ｔ２、ｔｔ３、ｔ４、ｔ５とする場合を例に説明する。４つの連続するサンプリングデータα、β、γ、δを元に求められた３次のスプライン関数を用いて、各時点ｔ１、ｔ２、ｔｔ３、ｔ４、ｔ５の補間位置におけるスプライン補間データを求めるための係数データ（ａ０、ｂ０、ｃ０、ｄ０）、…、（ａ４、ｂ４、ｃ４、ｄ４）がそれぞれ求められる。
【００４１】
求められた係数データ（ａ０、ｂ０、ｃ０、ｄ０）、…、（ａ４、ｂ４、ｃ４、ｄ４）は、メモリのアドレスｔ１、ｔ２、ｔｔ３、ｔ４、ｔ５に、図３（ｃ）に模式的に示すように、格納される。そこで、補間位置が時点ｔ３であると補間位置制御信号に基づき定まったときは、メモリのアドレスｔ３から係数データ（ａ３、ｂ３、ｃ３、ｄ３）が読み出されて、サンプリングデータα、β、γ、δと係数データ（ａ３、ｂ３、ｃ３、ｄ３）とから、補間位置におけるスプライン補間データＢは（ａ３×α＋ｂ３×β＋ｃ３×γ＋ｄ３×δ）により求められて、補間がなされる。
【００４２】
しかるに補間位置を図４に模式的に示すように、２０４８分割してその分解能を２０４７としたため、メモリにおけるアドレスはｔ１、ｔ２、…、ｔ２０４７となり、図３（ａ）において補間位置を時点ｔｉとすれば、補間されたスプライン補間データは（ａｉ×α＋ｂｉ×β＋ｃｉ×γ＋ｄｉ×δ）となる。ここで、ｉ＝１〜２０４７の値である。
【００４３】
また、サンプリングデータγの時点位置を０とし、サンプリングデータδの時点位置を１とし、上記の補間において、図６に示すように補間位置に対応する時点をｔとしたとき、隣り合うサンプリングデータγ、δのサンプリングクロック間内に入らないとき、すなわちｔ＜０のとき、補間されたスプライン補間データＢ１は、Ｂ１＝（ａｊ×ω＋ｂｊ×α＋ｃｊ×β＋ｄｊ×γ）となり、またｔ＞１のときは、補間されたスプライン補間データＢ２は、Ｂ２＝（ａｋ×β＋ｂｋ×γ＋ｃｋ×δ＋ｄｋ×ε）となる。勿論、０＜ｔ＜１のときには、スプライン補間Ｂは、Ｂ＝（ａｉ×α＋ｂｉ×β＋ｃｉ×γ＋ｄｉ×δ）となる。
【００４４】
上記において、図５に示すようにサンプリングデータβの時点位置を０とし、サンプリングデータγの時点位置を１とし、この補間において、０＜ｔ＜１のときには図５（ａ）に示すようにそのまま補間し、図５（ｂ）に示すようにｔ＜０のとき、有効シンボル抽出回路３において抽出位置を図５（ｂ）に示すように時間的に遅らす方向に１つずらして補間し、ｔ＞１のときは、有効シンボル抽出回路３において抽出位置を図５（ｃ）に示すように時間的に進ます方向に１つずらして補間すればよい。
【００４５】
上記のように、連続する４つのサンプリングデータα、β、γ、δからスプライン補間データＢを求めてサンプリングデータβに代え、同様に引き続く連続する４つのサンプリングデータβ、γ、δ、εからスプライン補間データＢの次のスプライン補間データ（Ｂ＋１）を求めてサンプリングデータγに代え、この操作を繰り返して有効シンボル区間全体至る。この場合、補間位置はサンプリングデータγに対する時点は、サンプリングデータβに対する時点ｔｉの場合と同一である。
【００４６】
また上記対象とした有効シンボル区間の時間的に直前の有効シンボル区間についても、直後の有効シンボル区間についての同様に、補間位置を求め、求めた補間位置におけるスプライン補間データをサンプリングデータに代わって用いる。このようにすることにより、有効シンボル区間におけるサンプリングデータに対応するスプライン補間データと直後の有効サンプリング区間におけるサンプリングデータに対応するスプライン補間データとの間における対応するデータ間の不連続性は低減される。
【００４７】
なお、上記したように本発明の実施の一形態にかかるＯＦＤＭ復調装置２０では、図２に示したように、補正値が直前の有効シンボル区間における最初のサンプリングデータのサンプリング時点と次の有効シンボル区間における最初のサンプリングデータのサンプリング時点との差であり、これを有効シンボル区間にわたって一定であるとした場合を例示したが、図７において補正値で示したように、有効シンボル毎に補間間隔が一定であるとしてもよい。
【００４８】
【発明の効果】
以上説明したように本発明にかかるデジタル放送受信機によれば、隣り合う有効シンボル間におけるサンプリングデータ間隔およびレベルを補正するようにしたため、連続する２つの有効シンボル区間における対応するサンプリングデータ間に生ずる不連続性を、無視できる程度に低減することができる。
【図面の簡単な説明】
【図１】本発明の実施の一形態にかかる復調装置の構成を示すブロック図である。
【図２】本発明の実施の一形態にかかる復調装置の有効シンボル区間におけるサンプリングデータ間の時間的差を説明する模式説明図である。
【図３】本発明の実施の一形態にかかる復調装置の補正回路におけるスプライン補正の模式説明図である。
【図４】本発明の実施の一形態にかかる復調装置の補正回路における補正位置の模式説明図である。
【図５】本発明の実施の一形態にかかる復調装置の補正回路におけるスプライン補正の模式説明図である。
【図６】本発明の実施の一形態にかかる復調装置の補正回路におけるスプライン補正の模式説明図である。
【図７】本発明の実施の一形態にかかる復調装置の有効シンボル区間におけるサンプリングデータ間の時間的差を説明する他の模式説明図である。
【図８】従来の復調装置の構成を示すブロック図である。
【図９】従来の復調装置による場合のサンプリングデータと変調装置におけるサンプリングデータとの時間的関係を示す模式説明図である。
【図１０】従来の復調装置による場合における有効シンボル区間抽出の説明に供する模式説明図である。
【図１１】ガード相関による有効シンボル区間の開始位置推定の模式説明図である。
【図１２】タイミングが合っている場合における有効シンボル区間の開始位置推定の模式説明図である。
【図１３】タイミングが合っていない場合における有効シンボル区間の開始位置推定の模式説明図である。
【符号の説明】
１  Ａ／Ｄ変換器
２  直交検波器
３  有効シンボル抽出回路
４  補間回路
５  ＦＦＴ回路
６  等化器
７  ＳＰ抽出回路
８  ＩＦＦＴ回路
９  ＴＭＣＣデコーダ
１０  ガード相関器
１１  タイミング検出回路
１２  補間位置、切り出し位置制御回路
２０  ＯＦＤＭ復調装置
【図１】
2004153559.tif 000003
【図２】
2004153559.tif 000004
【図３】
2004153559.tif 000005
【図４】
2004153559.tif 000006
【図５】
2004153559.tif 000007
【図６】
2004153559.tif 000008
【図７】
2004153559.tif 000009
【図８】
2004153559.tif 000010
【図９】
2004153559.tif 000011
【図１０】
2004153559.tif 000012
【図１１】
2004153559.tif 000013
【図１２】
2004153559.tif 000014
【図１３】
2004153559.tif 000015